(57)【要約】      （修正有）【課題】釣糸の投下の間中断なくイカを釣り上げること可能にする釣具を提供する。【解決手段】複数の発光疑似餌２１を左舷１２から右舷１１に左舷回転車１２１または右舷回転車１１１により回転する釣糸２０に取り付け、右舷１１から最下部までは発光が停止し、最下部を過ぎ釣糸２０が海上に向けて上向きの位置から左舷１２の甲板までは発光するイカ釣り漁具である。【選択図】図１
2012050420.tif 000002
【特許請求の範囲】
【請求項１】
複数の発光疑似餌２１を左舷１２から右舷１１に左舷回転車１２１または右舷回転車１１１により回転する釣糸２０に取り付け、右舷１１から最下部までは発光が停止し、最下部から左舷１２の甲板までは発光することを特徴としたイカ釣り漁具。
【請求項２】
透明の疑似餌２１の内部上部にＬＥＤ球２１４を備え、そのＬＥＤ球２１４の陽極線２１５は陽極キャツプ２１５１につながり、それは電池２１８の陽極２１８１にかぶり、一方、陰極線２１６は内部株にある陰極接点２１７に繋がっている。疑似餌２１の外部下部には針２１１が複数上向きに固定されている。陽極２１８１とＬＥＤ球２１４内部には空間がある。疑似餌２１を反転すると電池２１８の陰極が陰極接点２１７から離れＬＥＤ球２１４が消灯する疑似餌２１を取り付けた「請求項１」の漁具。
【請求項３】
透明の疑似餌２１の内部上部に遮蔽筒３１３を備え、その内部を上下移動する胴体に蛍光塗料３１４を塗布した移動体３１８を備え、疑似餌２１の外部下部には針２１１が複数上向きに固定されている。疑似餌２１を反転すると移動体３１８の蛍光塗料３１４を遮蔽筒３１３に収納される疑似餌２１を取り付けた「請求項１」の漁具。
【発明の詳細な説明】
【技術分野】
【０００１】  本発明はイカ釣り漁具に関するものである。
【背景技術】
【０００２】  現在、イカ釣りにおいては夜間に「メタルハライド灯」を点灯して「自動イカ釣り機」で釣り上げるのが一般的である。最近、省電力の「ＬＥＤ灯」がある。しかし、これらのすべては海上に大容量のランプを照らし、海面にイカをおびき寄せ、疑似餌とそれをコントロールする「自動イカ釣り機」でいったん魚群近くに降ろし、イカなどの魚が疑似餌に絡みつくと、逆回転して釣り上げている。これらの改善として、海中に複数の「光源付き疑似餌」を投入したものが提案されている。例えば特許文献１。「光源付き疑似餌」そのものは古くから提案されている。例えば特許文献２である。【０００３】  この特許文献１の技術は「光源付き疑似餌」を点滅させて釣り上げている。これらの技術の基本は海上での大容量のランプの重油の消費をなくし、海中でのピンポイントで発光させて、魚を疑似餌に誘い込み、釣り上げる方法である。【０００４】  また他に図７の「非特許文献１」のように「魚群探知機」でイカの所在位置を調査し、その群れに「海中灯」を下ろし、集魚を確認した後、徐々に減光しながら浅い海中に引き上げるとイカが追従して浅い海中におびき寄せられる。そして、「自動イカ釣り機」で釣り上げる。
以上の例の基本技術は海上での大容量のランプの重油の消費をなくし、効率よく海中での発光により効率良く、省エネでの「自動イカ釣り機」でのイカ釣りを可能としたものである。
【先行技術文献】
【特許文献】
【０００５】
【特許文献１】実開昭５２−２３９９１号
【特許文献２】実公昭２４−６０２５号
【特許文献３】ＵＳＰ２６８２２０８
【非特許文献】
【非特許文献１】ｈｔｔｐ：／／ｗｗｗ．ｔａｋｕｙｏ−ｒｉｋｅｎ．ｃｏ．ｊｐ／ｎｅｗ／ｐｒｏｄｕｃｔｓ／ｓｏｕｇｙｏｕ／ｓｏｕｇｙｏｕ−ｉｋａｔｕｒｉ．ｈｔｍｌ＃１よりの図面。
【発明の概要】
【発明が解決しようとする課題】
【０００６】  以上の従来の発明のイカ釣り方法は、最近ではコンピータ化された「自動イカ釣り機」と組み合わせたものが主力である。その場合、複数の疑似餌をつけた釣糸を魚群に投下し、魚群の下まで行くと、今度は逆転して甲板まで引き上げる。この一連の動作は「自動イカ釣り機」がやってくれる。人間が釣る作業を自動化したものである。【０００７】  しかし、現在の「自動イカ釣り機」には問題がある。それは複数の疑似餌をつけた釣糸を魚群に投下して下降している間は、イカは喰らいついてくれないのである。また「光源付き疑似餌」を投下した場合、せっかく浅い海中に上がって来ているイカを逆に深い方向に誘導してしまう。【０００８】  本発明の目的は従来のように大容量のランプを点灯し大量の重油の消費することなく、また「自動イカ釣り機」のように高価な機械を使用することなく、また釣糸の投下の間の釣れないということなく、即ち「中断なく」イカを釣り上げること可能にする釣具を提供することにある。【０００９】
【課題を解決するための手段】
【００１０】  本発明は上記目的を達成するための釣具である。それは複数の発光疑似餌２１を左舷１２から右舷１１に左舷回転車１２１または右舷回転車１１１により回転する釣糸２０一定間隔でに取り付け、右舷１１から最下部までは発光が停止し、最下部を過ぎ釣糸２０が海上に向けて上向きにした位置から左舷１２の甲板までは発光することを特徴としたイカ釣り漁具である。【００１１】  また第２の課題解決手段は本発明に使用する疑似餌２１をつけた漁具である。その疑似餌２１は透明の疑似餌２１の内部上部にＬＥＤ球２１４を備え、そのＬＥＤ球２１４の陽極線２１５は陽極キャツプ２１５１につながり、それは電池２１８の陽極２１８１にかぶり。一方、陰極線２１６は内部下部にある陰極接点２１７に繋がっている。疑似餌２１の外部下部には針２１１が複数固定されている。陽極２１８１とＬＥＤ球２１４との間には空間がある。疑似餌２１を反転すると電池２１８の陰極２１８２が陰極接点２１７から離れＬＥＤ球２１４が消灯する疑似餌２１。【００１２】  また第３の課題解決手段は本発明に使用する疑似餌２１をつけた漁具である。その疑似餌２１は透明の疑似餌２１の内部上部に遮蔽筒３１３を備え、その内部を上下移動する胴体に蛍光塗料３１４を塗布した移動体３１８を備え、疑似餌２１の外部下部には針２１１が複数上向きに固定されている。疑似餌２１を反転すると移動体３１８の蛍光塗料３１４を遮蔽筒３１３に収納される疑似餌２１。【００１３】  上記第１の問題解決手段による作用は以下のとおりである。すなわち発光疑似餌２１が左舷１２から右舷１１に左舷回転車１２１または右舷回転車１１１により回転する釣糸２０に取り付け、右舷１１から最下部までは発光が停止し、最下部を過ぎ釣糸２０が海上に向けて上向きの位置から左舷１２の甲板までは発光する疑似餌２１であるので、その結果イカの群れは左舷１２に集まる。複数の疑似餌２１は釣糸２０の最深部から上向きに転じた時に、発光する。そして海上に向かってエンドレスに発光して次々と移動する。イカはしたから次々に上昇してくるいずれかの発光疑似餌２１に食いつき、針２１１に引っかかり、左舷回転車１２１を越えた甲板上で分離される。【００１４】  上記第２の問題解決手段による作用は以下のとおりである。それは透明の疑似餌２１の内部上部にＬＥＤ球２１４を備え、そのＬＥＤ球２１４の陽極線２１５は陽極キャツプ２１５１につながり、それは電池２１８の陽極２１８１にかぶる。一方、陰極線２１６は内部下部にある陰極接点２１７に繋がっている。疑似餌２１の外部下部には針２１１が複数固定されている。陽極２１８１とＬＥＤ球２１４内部には空間がある。疑似餌２１を反転すると電池２１８の陰極２１８２が陰極接点２１７から離れＬＥＤ球２１４が消灯する疑似餌２１である。この発光疑似餌２１が左舷１２から右舷１１に左舷回転車１２１または右舷回転車１１１により回転する釣糸２０に取り付け、右舷１１から最下部までは発光が停止し、最下部から左舷１２の甲板までは発光する疑似餌２１であるので、その結果、イカの群れは左舷１２に集まる。複数の疑似餌２１は釣糸２０の最深部から上向きに転じた時に、発光する。そして海上に向かってエンドレスに発光し��次々と移動する。イカは下から次々に上昇してくるいずれかの発光疑似餌２１に食いつき、針２１１に引っかかり、左舷回転車１２１を越えた甲板上で分離される。【００１５】  上記第３の問題解決手段による作用は以下のとおりである。それは透明の疑似餌２１の内部上部に遮蔽筒３１３を備え、その内部を上下移動する胴体に蛍光塗料３１４を塗布した移動体３１８を備え、疑似餌２１の外部下部には針２１１が複数上向きに固定されている。疑似餌２１を反転すると移動体３１８の蛍光塗料３１４を遮蔽筒３１３に収納される。この発光疑似餌２１が左舷１２から右舷１１に左舷回転車１２１または右舷回転車１１１により回転する釣糸２０に取り付け、右舷１１から最下部までは発光が停止し、最下部を過ぎ釣糸２０が海上に向けて上向きの位置から左舷１２の甲板までは発光する疑似餌２１であるので、その結果、イカの群れは左舷１２に集まる。複数の疑似餌２１は釣糸２０の最深部から上向きに転じた時に遮蔽筒３１３から移動体３１８が下降し蛍光塗料３１４がイカに見える。そして海上に向かってエンドレスに発光して次々と移動する。イカは下から次々に上昇してくるいずれかの発光疑似餌２１に食いつき、針２１１に引っかかり、左舷回転車１２１を越えた甲板上で分離される。
【発明の効果】
【００１６】ａ．本発明は海上での大容量のランプのための重油の消費をなくし、海中でのピンポイントで発光させて、魚を疑似餌に誘い込み、釣り上げる方法であるので、重油の消費をなくし省エネのイカ釣り漁具である。
ｂ．従来の「自動イカ釣り機」のように上下運動をコントロールする高価装置でなく、一方向に回転するモータつきの回転車であるので廉価な漁具である。
ｃ．従来の「自動イカ釣り機」は疑似餌を上下運動させているので、下げる時にはイカは食いつくチャンスはないが、本発明は回転しているのでエンドレスでイカは食いつく。
ｄ．従来の「自動イカ釣り機」は常にイカの群れの現在位置を確認し調整しなければならないが、本発明は群れの深度に関係なく、海底から海上方向に発光する疑似餌が走るのでイカは食いつきやすい。
ｅ．従来の「自動イカ釣り機」は必ず夜間に大容量のランプを海上で照らし、イカを浅い深さにおびきだし、捕獲している。一般にイカは昼間は深部（１００ｍ以上）にいる。本発明は昼間でも深部の暗い場所にいるイカに対して、発光する疑似餌に食わせることが可能である。夜間労働から解放される。
【図面の簡単な説明】
【００１７】
【図１】本発明を実施するイカ釣り漁船の船首から見た正面図。
【図２】本発明を実施するイカ釣り漁船の左舷１２から見た側面図。図１の左舷１２から見た側面図
【図３】本発明の疑似餌の断面図。海底から海上方向に上昇している状態。
【図４】図３を反転した断面図。海上から海底方向に下降している状態。
【図５】本発明の他の実施例の疑似餌の断面図。海底から海上方向に上昇している状態。
【図６】図５を反転した断面図。海上から海底方向に下降している状態。
【図７】従来のイカ釣り漁法の工程図。
【発明を実施するための形態】
【００１８】以下、本発明の実施の形態を図１〜図７に基づいて説明する。
【００１９】  図１は本発明を実施するイカ釣り漁船の船首から見た正面図である。図２は本発明を実施するイカ釣り漁船の左舷１２から見た側面図である。図１の左舷１２から見た側面図である。
複数の発光疑似餌２１を釣糸２０に一定間隔をあけて、一定方向に発光体側糸通し２１９と電池側糸通し２２０を通して固定する。
複数の発光疑似餌２１を左舷１２から右舷１１に左舷回転車１２１または右舷回転車１１１により回転する釣糸２０に取り付けたものである。右舷１１から最下部までは発光が停止し、最下部を過ぎ釣糸２０が海上に向けて上向きの位置から左舷１２の甲板までは発光する疑似餌２１を備えたものである。その結果、イカの群れは左舷１２に集まる。左舷回転車１２１または右舷回転車１１１が図１の矢印ように移動する。釣糸２０は図１のようにエンドレスで回転する。左舷１２に集まったイカは次々に海底から上昇してくる発光疑似餌２１を見ることになり、いずれかの発光疑似餌２１に食いつくことになる。発光疑似餌２１の点灯・消灯の方法については公知の特許文献１のようにタイマーの装置を組み込むことで可能である。
【００２０】  図３・図４は本発明の発光疑似餌２１の断面図である。この図３、図４は発光疑似餌２１の点灯・消灯する実施例である。複数の発光疑似餌２１を釣糸２０に一定間隔をあけて、一定方向に発光体側糸通し２１９と電池側糸通し２２０を通して固定する。図３は海底から海上方向に上昇している発光疑似餌２１の状態である。図４は図３の発光疑似餌２１を反転した断面図である。海上から海底方向に下降している状態である。その疑似餌２１は透明の疑似餌２１の内部上部にＬＥＤ球２１４を備え、そのＬＥＤ球２１４の陽極線２１５は陽極キャツプ２１５１につながり、それは単３か単４の電池２１８の陽極２１８１にかぶり、一方、陰極線２１６は内部下部にある陰極接点２１７に繋がっている。疑似餌２１の外部下部には針２１１が複数固定されている。陽極２１８１とＬＥＤ球２１４との間には空間がある。疑似餌２１を反転すると電池２１８の陰極２１８２が陰極接点２１７から離れＬＥＤ球２１４が消灯する疑似餌２１である。複数の発光疑似餌２１を左舷１２から右舷１１に左舷回転車１２１または右舷回転車１１１により回転する釣糸２０に取り付けたものである。右舷１１から最下部までは発光が停止し、最下部を過ぎ釣糸２０が海上に向けて上向きの位置から左舷１２の甲板までは発光する疑似餌２１を備えたものである。その結果、イカの群れは左舷１２に集まる。左舷回転車１２１または右舷回転車１１１が図１の矢印ように移動する。釣糸２０は図１のようにエンドレスで回転する。左舷１２に集まったイカは次々に海底から上昇してくる発光疑似餌２１を見ることになり、いずれかの発光疑似餌２１に食いつくことになる。
【００２１】  本発明の発光疑似餌２１の構造は一実施例であり、陽極２１８１に陽極線２１５を直接ハンダ付けすることも可能である。また発光体側容器２１２と針側容器２１３は接合部２１２１でＯリングを挟んだネジ式が良いだろう。本実施例は電池２１８がエンドレスの釣糸２０の状態によってスィツチが入り、切れることを示しているのでこれに限定されるものではない。陽極２１８１・陰極２１８２は相対的なものであるのでこれに限定されるものでなく、逆になってもよいことは言うまでもない。また針２１１は発光疑似餌２１の底部に一体化される必要はない。釣糸２０上で発光疑似餌２１の近くにあればよい。発光疑以餌２１は発光体側糸通し２１９と電池側糸通し２２０により上下で釣糸２０に固定されているので左舷回転車１２１を過ぎた時、イカがはずれやすくするために発光疑似餌２１から独立していても良い。
【００２２】  図５・図６は他の実施例である。発光は電気に限定されることなく、蛍光塗料でも可能である。電池の消耗がなく、経済的である。複数の発光疑似餌２１を釣糸２０に一定間隔をあけて、一定方向に遮蔽筒側糸通し３１９３１９と針側糸通し３２０を通して固定する。図５・図６により説明すると、図５は透明の疑似餌２１の内部上部に遮蔽筒３１３と遮蔽筒側糸通し３１９を備え、遮蔽筒３１３の内部を上下移動する胴体に蛍光塗料３１４を塗布した移動体３１８を備え、疑似餌２１の外部下部には針２１１と針側糸通し３２０が備えられている。遮蔽筒３１３は移動体３１８が図６の状態の時、蛍光塗料３１４の発光が外部に漏れないためのものである．図５は海底から海上方向に上昇している発光疑似餌２１の状態である。図６は図５の発光疑似餌２１を反転した断面図である。海上から海底方向に下降している状態である。図５の状態では胴体に蛍光塗料３１４を塗布した移動体３１８は針２１１側にあり、遮蔽筒３１３から飛び出し、蛍光塗料３１４は海中に光を放つ。複数の発光疑似餌２１を左舷１２から右舷１１に左舷回転車１２１または右舷回転車１１１により回転する釣糸２０に取り付けたものである。右舷１１から最下部までは発光が停止し、最下部を過ぎ釣糸２０が海上に向けて上向きの位置から左舷１２の甲板までは発光する疑似餌２１を備えたものである。その結果、イカの群れは左舷１２に集まる。左舷回転車１２１または右舷回転車１１１が図１の矢印ように移動する。釣糸２０は図１のようにエンドレスで回転する。左舷１２に集まったイカは次々に海底から上昇してくる発光疑似餌２１を見ることになり、いずれかの発光疑似餌２１に食いつくことになる。
【００２３】  本発明の場合、発光が恒久的なので接合面２１２１接着剤で接着しても良い。遮蔽筒３１３を省略する代わりに接合面２１２１から上部を透明でない、光を透過しないプラスティクで成型したものでも良い。
【符号の説明】
【００２４】右舷１１
右舷回転車１１１
左舷１２
左舷回転車１２１
釣糸２０
発光疑似餌２１
疑似餌２１
針２１１
発光体側容器２１２
接合部２１２１
針側容器２１３
ＬＥＤ球２１４
陽極線２１５
陽極キャツプ２１５１
陰極線２１６
陰極接点２１７
電池２１８
陽極２１８１
陰極２１８２
発光体側糸通し２１９
電池側糸通し２２０
遮蔽筒３１３
蛍光塗料３１４
移動体３１８
遮蔽筒側糸通し３１９
針側糸通し３２０
【図１】
2012050420.tif 000003
【図２】
2012050420.tif 000004
【図３】
2012050420.tif 000005
【図４】
2012050420.tif 000006
【図５】
2012050420.tif 000007
【図６】
2012050420.tif 000008
【図７】
2012050420.tif 000009